(57)【要約】【課題】施工性及びメンテナンス性に優れた屋根緑化システムを提供する。【解決手段】建物の屋根面３上に長尺のプランター保持具１を間隔を介して複数本並設する。隣接するプランター保持具１の間にプランター２を保持する。プランター保持具１の上端部を前記プランター２よりも上方に突出させる。プランター保持具１の上端部の外面に給水管収納溝２７を形成する。【選択図】        図１
2010183853.tif 000002
【特許請求の範囲】
【請求項１】
建物の屋根面上に長尺のプランター保持具を間隔を介して複数本並設した屋根緑化システムにおいて、隣接するプランター保持具の間にプランターを保持すると共にプランター保持具の上端部を前記プランターよりも上方に突出させ、該プランター保持具の上端部の外面に給水管収納溝を形成したことを特徴とする屋根緑化システム。
【請求項２】
前記プランター保持具に給水管収納溝を覆うカバー材を取り付け、該カバー材に前記隣接するプランター保持具の間に保持されたプランターの浮き上がりを防止する浮き上がり防止部を形成したことを特徴とする請求項１に記載の屋根緑化システム。
【発明の詳細な説明】
【技術分野】
【０００１】
本発明は建物の屋根緑化システムに関する。
【背景技術】
【０００２】
近年、ヒートアイランド現象に対する都市環境の改善を目的として、建物の屋根や屋上を緑化する技術が注目されている。
【０００３】
例えば特許文献１の緑化システムでは、屋根面の上に支持材を介して長尺のプランター保持具を複数本並設し、隣接するプランター保持具の間にプランターを保持し、これによりプランターの底面と下方の屋根面との間に空間を形成して、プランターの通気性を向上させている。また、プランター保持具の上端部にはスプリンクラー装置を設けてあり、このスプリンクラー装置によりプランター内の土壌に植えられた植物に水遣りを行う。
【先行技術文献】
【特許文献】
【０００４】
【特許文献１】特開２００７−１２９９５８号公報
【発明の概要】
【発明が解決しようとする課題】
【０００５】
ところで、上記特許文献１の緑化システムでは、スプリンクラー装置へ給水する給水管をプランターの下方の屋根面に沿って配管しているが、該給水管をスプリンクラー装置にまで伸ばすには、屋根面上に設けられた支持材や長尺のプランター保持具が邪魔になることがあり、施工性に改善の余地がある。また、給水管のメンテナンスを行うにはプランターを動かして給水管を露出させる必要があり、メンテナンス性にも改善の余地がある。
【０００６】
本発明は上記従来の事情に鑑みてなされたものであって、施工性及びメンテナンス性に優れた屋根緑化システムを提供することを課題とする。
【課題を解決するための手段】
【０００７】
上記課題を解決するために、本発明の緑化システムは、建物の屋根面３上に長尺のプランター保持具１を間隔を介して複数本並設したものであって、隣接するプランター保持具１の間にプランター２を保持すると共にプランター保持具１の上端部を前記プランター２よりも上方に突出させ、該プランター保持具１の上端部の外面に給水管収納溝２７を形成することを特徴とする。
【０００８】
また、前記プランター保持具１ｂに給水管収納溝２７を覆うカバー材（押さえ具３２ｂ）を取り付け、該カバー材に前記隣接するプランター保持具１の間に保持されたプランター２の浮き上がりを防止する浮き上がり防止部（押さえ片部３５）を形成することが好ましい。
【発明の効果】
【０００９】
本発明にあっては、プランター保持具のプランターよりも上方に突出する上端部の外面に形成した給水管収納溝に植物への水遣りに用いる給水管を収納することができ、プランター保持具やこれを支持する支持材などの障害物が設けられる屋根面に沿って給水管を配管する必要がなく、施工性が向上する。また、給水管のメンテナンス時においてはプランターを移動させることなく給水管を露出させることができ、メンテナンス性にも優れている。
【００１０】
また、プランター保持具にカバー材を取り付けることで、該カバー材により給水管収納溝に収納された給水管を覆うことができる。しかも、このカバー材の浮き上がり防止部により、プランター保持具の間に保持されたプランターが風等の影響で浮き上がることを防止できる。
【図面の簡単な説明】
【００１１】
【図１】本発明の実施の形態の一例の緑化システムであって、給水管収納溝を形成したプランター保持具によるプランターの保持構造を示す断面図である。
【図２】同上の緑化システムのカバー材の図示を省略した平面図である。
【図３】同上の正面断面図である。
【図４】同上の側面断面図である。
【図５】同上の給水管収納溝を形成したプランター保持具付近の施工後における平面図である。
【図６】図３のＢ部拡大図である。
【図７】図４のＣ部拡大図である。
【図８】同上の支持材の取付構造を示す断面図である。
【図９】他例の支持材の取付構造を示す断面図である。
【発明を実施するための形態】
【００１２】
以下、本発明の実施形態について添付図面に基づいて説明する。
【００１３】
図１乃至８に本実施形態の一例の屋根緑化システムを示す。本例の屋根緑化システムでは、図２のように建物の屋根面３の上に長尺のプランター保持具１が幅方向に間隔を介して複数本並設され、隣接するプランター保持具１の間に植物が植えられる土壌を収納するためのプランター２が保持される。
【００１４】
屋根面３は波形の折板屋根材５を複数並設して構成され、この屋根面３には図４に示すように上方に突出する山部６と下方に凹没する谷部７が交互に連続形成される。隣接する折板屋根材５ははぜ締めにより連結され、このはぜ締めにより連結された部分（以下、はぜ締め部４と記載する）は各山部６の上面から上方に突出する。
【００１５】
屋根面３上にはプランター保持具１を支持する支持材９が複数設けられる。支持材９は長尺で断面矩形状の金属製型枠材で構成され、幅方向に間隔を介して屋根面３上に複数並設される。
【００１６】
図３に示すように、各支持材９の長手方向の複数箇所は取付具１０を介して屋根面３に取り付けられる。
【００１７】
図８に示すように、取付具１０は対をなし対向配置される半具１０ａ、１０ｂで構成される。各半具１０ａ、１０ｂは折曲された金属板からなり、水平な載置片部１１と、載置片部１１の他の半具側の側縁から立ち上がる立上片部１２と、立上片部１２の上端から他方の半具とは反対側に突出する断面Ｌ字状のＬ字状片部１３で構成される。
【００１８】
一方の半具１０ａの立上片部１２は載置片部１１に対して垂直となる。他方の半具１０ｂは、立上片部１２の上下方向の中間部が半具１０ａとは反対側向けて突出するよう折曲され、これにより半具１０ａ側に開口する凹部１５が形成される。
【００１９】
取付具１０は屋根面３の山部６の上面における長手方向の複数箇所に取り付けられる。取付具１０を屋根面３に取り付けるには、両半具１０ａ、１０ｂの立上片部１２で山部６の上面に形成されたはぜ締め部４を挟み込んで凹部１５にはぜ締め部４を収めると共に、各半具１０ａ、１０ｂの載置片部１１を山部６の水平な上面に載置し、この状態で両半具１０ａ、１０ｂの立上片部１２をボルト１６及びナット１７で締結する。この取り付け状態では、両半具１０ａ、１０ｂのＬ字状片部１３の縦片部１３ａ同士は対向し、この間に上方に開口する収納凹所１８が形成される。なお、図中３９は取付具１０に取り付けられてプランター保持具１で保持されたプランター２が外側方に移動することを防止するためのケラバ板である。
【００２０】
このように屋根面３に取り付けられた取付具１０に支持材９を取り付けるには、支持材９の長手方向の一部を取付具１０の収納凹所１８に収納し、これら収納された部分と対応する取付具１０の両側の縦片部１３ａをボルト１９及びナット２０で締結する。これによって、各支持材９は山部６上にその長手方向が山部６の長手方向と平行にされた状態で屋根面３に取り付けられる。
【００２１】
図１、図６、及び図７に示すプランター保持具１は、長尺で且つ断面形状が下方に開口する略ハット状をした軽金属製型枠材からなり、上面を構成する上面片２３と、上面片２３の幅方向両側の側縁から垂れ下がる側面片２４と、側面片２４の下縁から幅方向の外側に向けて突出する固定片２５で構成される。
【００２２】
各プランター保持具１は、前記屋根面３に取付具１０を介して取り付けられた複数の支持材９上に支持材９と平面視で略直交するよう配置され、これらプランター保持具１と支持材９は格子状に組まれる。
【００２３】
各プランター保持具１を支持材９に取り付けるには、プランター保持具１の支持材９との交差部分において、両側の固定片２５を支持材９上に載置し、これら両側の固定片２５をビスやボルト等からなる固着具２６によって支持材９に固着する。
【００２４】
プランター保持具１には、図６及び図７に示すプランター保持具１ａと、図１に示す上端部の外面に給水管収納溝２７を形成したプランター保持具１ｂの２種類がある。以下、特に区別する場合を除き、プランター保持具１ａ、１ｂはプランター保持具１と記載する。
【００２５】
さらに、プランター保持具１ａには、プランター保持具１が屋根面３上に並べて設けられたときに最外に配置される図７に示すプランター保持具１ａ１と、最外以外の箇所に配置される図６に示すプランター保持具１ａ２の２種類がある。以下、特に区別する場合を除き、プランター保持具１ａ１、１ａ２はプランター保持具１ａと記載する。
【００２６】
図６及び図７に示すプランター保持具１ａの上面片２３は水平に形成されている。
【００２７】
このうち図７に示すプランター保持具１ａ１はプランター２が配置される側の側面片２４が下方程幅方向の外側に位置するように傾斜している。図６に示すプランター保持具１ａ２は両側の側面片２４が下方程幅方向の外側に位置するように傾斜している。
【００２８】
図１に示すプランター保持具１ｂは、プランター保持具１が屋根面３上に並べて設けられたときに最外以外の箇所に配置される。プランター保持具１ｂの両側の側面片２４はプランター保持具１ａ２と同様に下方程幅方向の外側に位置するように傾斜している。
【００２９】
プランター保持具１ｂの上面片２３の幅方向の中央部は下方に向けて突曲してあり、これによりプランター保持具１ｂの上面にはプランター保持具１ｂの長手方向に沿って長い上方に開口する給水管収納溝２７が形成されている。
【００３０】
上記のように複数の支持材９上にプランター保持具１が複数架設されると、隣接するプランター保持具１の間にはプランター収納用の空所２９が形成される。各空所２９には上方から容器状のプランター２がプランター保持具１の長手方向に複数嵌め込まれ、各プランター２の両側の端部がプランター保持具１の傾斜した側面片２４あるいは固定片２５上に載置され、これにより各プランター２が両側のプランター保持具１によって保持される。なお、空所２９に収納されたプランター２はプランター保持具１の上面よりも下方に配置され、各プランター保持具１の上端部はプランター２よりも上方に突出するものである。
【００３１】
前記プランター保持具１で保持されたプランター２は屋根面３から上方に離れた位置に配置され、該プランター２の底面と屋根面３との間には空所３０が形成される。このようにプランター２の下方に空所３０を形成してプランター２が屋根面３に直接接触しない構成とすることで、プランター２の下方の通気性を高めて植物の良好な育成環境を確保することができる。また、屋根面３にプランター２が直接接触した場合に生じやすい屋根材５やプランター２の腐食劣化を防止できる。
【００３２】
前記支持材９を介して屋根面３に取り付けられたプランター保持具１ｂの上端部は両側のプランター２よりも上方に突出して露出する。このプランター保持具１ｂの上端部の外面に形成した給水管収納溝２７にはプランター２に植えられた植物への水遣りに用いる給水管２８が給水管収納溝２７の長手方向に沿って配管される。
【００３３】
給水管２８は建物から屋根面３上に引き出され、この後、前記プランター保持具１ｂの内側の空所３８を経て、給水管収納溝２７の底面を貫通して給水管収納溝２７内に導入される。なお、給水管２８が建物から給水管収納溝２７に導入されるまでの道程はこれに限定されず、給水管２８を給水管収納溝２７の側面を貫通させたり、給水管収納溝２７の長手方向の端部開口から導入する等してもよい。
【００３４】
図１、図６、及び図７に示すように、上記屋根面３に施工された各プランター保持具１ａ１、１ａ２、１ｂの上端部には、側方の空所３０に収納されたプランター２の浮き上がりを防止する長尺な押さえ具３２が取り付けられる。
【００３５】
各押さえ具３２は断面形状が下方に開口する略コ状となった被嵌部３３を備え、該被嵌部３３をプランター保持具１の上端部に被嵌し、被嵌部３３の水平な上面片部３６をプランター保持具１の上面片２３にビス等の固着具３７で固着することにより取り付けられる。
【００３６】
押さえ具３２には、図６及び図７に示すプランター保持具１ａ用の押さえ具３２ａと、図１に示すプランター保持具１ｂ用の押さえ具３２ｂの２種類がある。さらに押さえ具３２ａには、プランター保持具１ａ１用の押さえ具３２ａ１と、プランター保持具１ａ２用の押さえ具３２ａ２の２種類がある。
【００３７】
図７に示す押さえ具３２ａ１は、前記被嵌部３３と、被嵌部３３のプランター２が配置される側の側面を構成する片部３４の下縁から外側方に突出する押さえ片部３５とで構成される。プランター保持具１ａ１に押さえ具３２ａ１を取付けた状態では、押さえ片部３５がプランター２の上開口の側縁部２ａ上に配置される。該押さえ片部３５は側縁部２ａを下方に押圧し、側縁部２ａが上方に浮き上がりを防止する。
【００３８】
図１及び図６に示す押さえ具３２ｂ、３２ａ２は、被嵌部３３と、被嵌部３３の側面を構成する両側の片部３４の下縁から外側方に突出する押さえ片部３５とで構成される。押さえ具３２ｂ、３２ａ２を対応するプランター保持具１ｂ、１ａ２に取付けた状態では、両側の押さえ片部３５が両側に配置されたプランター２の上開口の側縁部２ａ上に夫々配置される。これら押さえ片部３５は対応する側縁部２ａを下方に押圧して浮き上がりを防止する。
【００３９】
上記のようにして空所３０に配置された各プランター２は両側の側縁部２ａが押さえ片部３５により上方から押圧され、これによって風などの影響を受けてプランター２が浮き上がることが防止される。
【００４０】
また、前記プランター保持具１ｂに取り付けられた押さえ具３２ｂの上面片部３６は給水管収納溝２７及びこれに収納された給水管２８を上方から覆い、給水管２８が外部に露出しないようにする。つまり、本例では、押さえ具３２ｂが給水管収納溝２７を覆うカバー材を構成し、押さえ片部３５が隣接するプランター保持具１の間に保持されたプランター２の浮き上がりを防止する浮き上がり防止部を構成している。
【００４１】
押さえ具３２ｂの上面片部３６には前記給水管２８の下流側端部に装着されるスプリンクラー装置３１が貫通して設けられ、該スプリンクラー装置３１にて給水管２８から供給された水をプランター２内の土壌に散水できるようになっている。
【００４２】
以上説明した緑化システムにあっては、プランター２よりも上方に突出するプランター保持具１ｂの上端部の外面に給水管収納溝２７を形成することにより、該給水管収納溝２７に植物への水遣りに用いる給水管２８を収納することができる。このようにすると、支持材９などの障害物が設けられる屋根面３に沿って給水管２８を配管する必要がなく、施工性が向上する。また、給水管２８のメンテナンス時においては、カバー材を構成する押さえ具３２ｂをプランター保持具１ｂから取り外すだけで、プランター２を移動させることなく給水管２８を露出させることができ、メンテナンス性にも優れている。
【００４３】
また、給水管収納溝２７内はプランター２の下方の空所３０とプランター保持具１で仕切られた空間となるため、プランター２の底面から下方に伸び出した植物の根が給水管２８に絡まり難い構造となっている。
【００４４】
なお、本例では、プランター保持具１を並設したときに、最外以外の箇所に配置されるプランター保持具に給水管収納溝２７を形成したが、最外に配置されるプランター保持具に給水管収納溝２７を形成してもよい。
【００４５】
また、本例ではプランター保持具１が並設される屋根面３を折板屋根で構成したが、屋根面３は他の屋根材で構成してもよく、また、屋根面３は傾斜のある屋根面であってもよいし、陸屋根の屋根面（屋上面）であってもよい。
【００４６】
図９は屋根面３をボルト等で複数連結される重ね式の折板屋根材５で構成した例であり、この例では、各支持材９の長手方向の複数箇所を屋根面３に取り付けるにあたって、取付具１０に代えて取付具４０を用いている。
【００４７】
取付具４０は、上向きコ字状のコ字状片４１と、コ字状片４１の両側の縦片部に夫々固定されるく字状片４３とで構成されている。
【００４８】
取付具４０を屋根面３に取り付けるには、コ字状片４１をボルト等で山部６の上面に取り付け、該山部６の両側に配置したく字状片４３の一方の片部を山部６の両側の傾斜面の夫々に沿わせる。また、取付具４０に支持材９を取り付けるには、前例と同様に支持材９の長手方向の一部を両く字状片４３の他方の片部間に形成された収納凹所４４に収納し、これら収納された部分と両側のく字状片４３の他方の片部をボルト４５及びナット４６で締結する。
【符号の説明】
【００４９】
１  プランター保持具
１ｂ  プランター保持具
２  プランター
３  屋根面
２７  給水管収納溝
３２ｂ  押さえ具
３５  押さえ片部
【図１】
2010183853.tif 000003
【図２】
2010183853.tif 000004
【図３】
2010183853.tif 000005
【図４】
2010183853.tif 000006
【図５】
2010183853.tif 000007
【図６】
2010183853.tif 000008
【図７】
2010183853.tif 000009
【図８】
2010183853.tif 000010
【図９】
2010183853.tif 000011